(57)【要約】【課題】容易に取り付けることができ、また注入されたグラウトの内圧によってキャップが吹き飛ばされることのない緊張材固定構造及び緊張材固定用キャップのバンドを提供する。【解決手段】本発明にかかる緊張材固定構造は、コンクリート材(3)を貫通するシース管(1)に挿通された緊張材(2)の固定具(10)と、該緊張材の該コンクリート材からの突出部を該固定具とともに覆うキャップ(13)及びソケット(15)の一対と、異形欠筒体(21)の不連続部各端(21a,21b)がボルト孔(22)の穿たれた一対の耳片(23)に各別に続く、本発明にかかるバンド(20)を有する。該緊張材と該固定具を受け入れる該キャップの開口(16)外周にはフランジ(14)が、該ソケットには該フランジと対応する係合部(15a)が設けられており、該フランジと該係合部を突き合わせて該バンドで挟持し、該耳片同志をボルト(40)・ナット(41)で締付することにより該フランジ(14)と該係合部(15)を圧着させる。【選択図】  図１
2006152592.tif 000002
【特許請求の範囲】
【請求項１】
コンクリート材(3)を貫通するシース管(1)に挿通された緊張材(2)の固定具(10)と、
該緊張材(2)の該コンクリート材(3)からの突出部を該固定具(10)とともに覆うキャップ(13)及びソケット(15)の一対と、
異形欠筒体(21)の不連続部各端(21a,21b)がボルト孔(22)の穿たれた一対の耳片(23)に各別に続くバンド(20)を有し、
該緊張材(2)と該固定具(10)を受け入れる該キャップ(13)の開口(16)外周にフランジ(14)を設け、
該ソケット(15)に該フランジ(14)と対応する係合部(15a)を設け、
該フランジ(14)と該係合部(15a)を突き合わせて該バンド(20)で挟持し、該耳片(23)同志をボルト(40)・ナット(41)で締付することにより該フランジ(14)と該係合部(15)を圧着させるようにした
ことを特徴とする緊張材固定構造。
【請求項２】
該異形欠筒体(21)の側壁(24)は、周方向に伸びるスリット(25)により分割され、分割された各部(24a,24b)が、壁面から径方向に突出した脚(26a)と該壁面から距離をおいて配置された桁(26b)で構成される橋梁部(26)を介して連結され、該橋梁部(26)を避けた位置における該スリット(25)の対向する縁から互いに接近する方向に該壁面に対し傾斜して突出する押え部(27)を備えている請求項１に記載の緊張材固定構造。
【請求項３】
該橋梁部(26)は、該脚(26a)の側部から立ち上がる三角形の第一支持板(26c)と、該側壁(24)から立ち上がり該第一支持板(26c)に連続する三角形の第二支持板(26d)とで支持されている請求項２に記載の緊張材固定構造。
【請求項４】
異形欠筒体(21)の不連続部各端がボルト孔(22)の穿たれた一対の耳片(23)に各別に続き、該異形欠筒体(21) の側壁(24)は、周方向に伸びるスリット(25)により分割され、分割された各部が、壁面から径方向に突出した脚(26a)と該壁面から距離をおいて配置された桁(26b)で構成される橋梁部(26)を介して連結され、該スリット(25)の縁の該橋梁部(26)を避けた位置から該スリット(25)に被さる方向に傾斜して突出する押え部(27)を備えていることを特徴とする緊張材固定具用キャップのバンド(20)。
【請求項５】
該橋梁部(26)は、該脚(26a)の側部から立ち上がる三角形の第一支持板(26c)と、該側壁(24)から立ち上がり該第一支持板(26c)に連続する三角形の第二支持板(26d)とで支持されている請求項４に記載の緊張材固定具用キャップのバンド(20)。
【発明の詳細な説明】
【技術分野】
【０００１】
本発明は、ＰＣ鋼線等の緊張材が挿通されたシース管内にグラウト材を充填する際の緊張材固定構造及びその構造に使用する緊張材用固定具用キャップの緊結具に関するものである。
【背景技術】
【０００２】
並べて設置されたＰＣ部材を連結する方法として、ＰＣ版に貫設したシース管に鋼線を緊張材として挿通させる方法が一般に知られている。この方法においてシース管に通される緊張材は、引っ張られた状態で、シース管に圧入されるグラウト材で固定されるため、ＰＣ部材どうしを圧縮しながら連結することができる。
【０００３】
一方、緊張材を引っ張りながらグラウト材を圧入する作業におけるグラウトの漏洩問題等を解決するため、この緊張材の端部を覆うためのキャップが提案されている。
【０００４】
そのようなキャップとして、特開平１１−２０９９２２号公報には、緊張材端部及びその端部用固定具を覆う有底筒形状のキャップ部材と、このキャップ部材の開口側端部外側に嵌装される固定リング部材とから構成される液漏れ防止キャップが開示されている。この液漏れ防止キャップは、固定リング部材をキャップ部材の開口側に移動させキャップ部材を縮径方向に押圧することで、キャップ部材が固定具に固定され、固定具の隙間からのグラウト材漏洩が防止されるようになっている。なお、固定具としては、割円筒状の挟持部材と、この挟持部材が挿入される筒部材とからなるものが知られており、この液漏れ防止キャップはそのような公知の固定具に対応する形状となっている。
【０００５】
また、別のキャップとして、特開２００３−３３６３９９号公報には、緊張材の挿通孔が底板部に形成され外周板部に雄ねじが形成された有底円筒状のソケットと、緊張材端部及び端部用固定具を覆う内周面に雌ねじが形成された有底円筒状のグリップキャップとから構成されるグラウト用カバーが開示されている。このグラウト用カバーは、端部用固定具をソケットに嵌入して固着し、グリップキャップをソケットに螺合させることにより固定具を液密的に覆うようになっている。
【特許文献１】特開平１１−２０９９２２号公報
【特許文献２】特開２００３−３３６３９９号公報
【発明の開示】
【発明が解決しようとする課題】
【０００６】
しかしながら、上記従来の液漏れ防止キャップでは、専用の打ち込み治具とハンマーでキャップ部材に固定リング部材を打ち込む作業を伴うため、取り付け作業に時間と手間がかかるという問題があった。
【０００７】
また、上記グラウト用カバーでは、グリップキャップを回転させるだけで容易に取り付けることができるという利点はあるが、グラウトが注入されるに従いグリップキャップの内圧が上がると、グリップキャップが膨らんでソケットとの螺合が解除され、グリップキャップがその内圧で吹き飛ばされる問題があった。そして、吹き飛ばされたグリップキャップが通行人に激突し、事故を引き起こす危険性があった。
【０００８】
そこで、本発明の目的は、容易に取り付けることができ、また注入されたグラウトの内圧によってキャップが吹き飛ばされることのない緊張材固定構造及び緊張材固定用キャップのバンドを提供することにある。
【課題を解決するための手段】
【０００９】
本発明にかかる緊張材固定構造では、コンクリート材を貫通するシース管に挿通された緊張材の固定具と、該緊張材の該コンクリート材からの突出部を該固定具とともに覆うキャップ及びソケットの一対と、異形欠筒体の不連続部各端がボルト孔の穿たれた一対の耳片に各別に続くバンドを有する。該固定具を受け入れる該キャップの開口外周には、フランジが設けられる。該ソケットには、該フランジと対応する係合部が設けられる。そして、該フランジと該係合部を突き合わせて該バンドで挟持し、該耳片同志をボルト・ナットで締付することにより該フランジと該係合部を圧着させる。
【００１０】
本発明にかかる緊張材の固定構造において、該異形欠筒体の側壁は、周方向に伸びるスリットにより分割され、分割された各部が、壁面から径方向に突出した脚と該壁面から距離をおいて配置された桁で構成される橋梁部を介して連結され、該スリットの縁の該橋梁部を避けた位置から該スリットに被さる方向に傾斜して突出する押え部を備えていてもよい。
【００１１】
本発明にかかる緊張材固定具用キャップのバンドは、異形欠筒体の不連続部各端がボルト孔の穿たれた一対の耳片に各別に続き、該異形欠筒体の側壁は、周方向に伸びるスリットにより分割され、分割された各部が、壁面から径方向に突出した脚と該壁面から距離をおいて配置された桁で構成される橋梁部を介して連結され、該スリットの縁の該橋梁部を避けた位置から該スリットに被さる方向に傾斜して突出する押え部を備えたものとなっている。
【００１２】
該橋梁部は、該脚の側部から立ち上がる三角形の第一支持板と、該側壁から立ち上がり該第一支持板に連結する三角形の第二支持板とで支持されていてもよい。
【発明の効果】
【００１３】
本発明にかかる緊張材固定構造によれば、緊張材の突出部と固定具を覆うキャップは、その開口外周に設けたフランジとソケットに設けた係合部を突き合わせ、それらをバンドで固定することによりソケットに取り付けられるため、キャップとソケットとの係合力はキャップの径方向ではなく長手方向に働くことになる。そのため、内圧が高くなってキャップが膨らんでもソケットとの係合が外れて吹き飛ばされるおそれがない。また、キャップのフランジとソケットの係合部は、バンドで挟持し、バンドの耳片同志をボルト・ナットで締付することにより圧着されるようになっているので、キャップの取り付けを極めて容易に行うことができる。
【００１４】
異形欠筒体の側壁が、周方向に伸びるスリットにより分割され、このスリットの対向する縁から互いに接近する方向に壁面に対し傾斜して突出する押え部を備えていれば、フランジと係合部をスリットに挿通し押え部で挟持することができる。また、分割された側壁の各部は連結されていなければ、対向する押え部が簡単に離れてしまいバンドの機能を果たさなくなるところ、側壁の各部が、壁面から径方向に突出した脚と壁面から距離をおいて配置された桁で構成される橋梁部を介して連結されていれば、フランジと係合部をスリットに挿通する際の邪魔にならない態様で側壁の各部を連結することができる。更に、押え部が傾斜していれば、フランジと係合部は、バンド締め付け初期状態において側壁寄りの位置に当接するが、バンドの締め付けに従い側壁から離れた間隔の狭くなっている位置に当接することになる。そのため、フランジと係合部の圧着を、バンドの締め付けにより容易に強めることができる。
【００１５】
本発明にかかる緊張材固定具用キャップのバンドによれば、上記本発明にかかる緊張材固定構造に好適に使用できる。
【００１６】
橋梁部が、脚の側部から立ち上がる三角形の第一支持板と、側壁から立ち上がり第一支持板に連続する三角形の第二支持板とで支持されていれば、脚が変形しバンドの締め付け力が低下することを防止できる。また、橋梁部を側壁に連続させて設けることができるため、一枚の板材から製造することが可能となる。
【発明を実施するための最良の形態】
【００１７】
図１及び図２は、本発明にかかる緊張材固定構造の具体例を示し、図１（ａ）は全体正断面図、図１（ｂ）はフランジと係合部を拡大して示す正断面図、図２は全体平面図である。また、図３〜７は本発明にかかる緊張材固定具用キャップのバンドの具体例を示し、図３は斜視図、図４は平面図、図５は側面図、図６は正面図、図７は橋脚部の展開図である。
【００１８】
この緊張材固定構造では、コンクリート材３を貫通するシース管１に挿通された緊張材２の固定具１０と、緊張材２のコンクリート材３からの突出部を固定具１０とともに覆うキャップ１３及びソケット１５の一対と、キャップ１３をソケット１５に固定するバンド２０を有する。
【００１９】
固定具１０は、割円筒状をなす挟持部材１１と、その外面に密着配置される筒部材１２とが協働して緊張材２を固定するようになっている。
【００２０】
バンド２０は、異形欠筒体２１を備え、この異形欠筒体２１の不連続部各端２１ａ、２１ｂが、ボルト孔２２の穿たれた一対の耳片２３に各別に続いている。ボルト孔２２には、ボルト４０が挿通され、ボルト４０の両端に螺合されたナット４１を回すことにより耳片２３の間隔が調整されるようになっている。なお、図３において、ボルト４０及びナット４１は、バンド２０の構造を明示するための便宜上、想像線で描かれている。
【００２１】
キャップ１３には、固定具１０を受け入れる開口１６外周に、フランジ１４が設けられている。一方、ソケット１５は、緊張材２の挿通孔が底板部に形成され固定具１０のコンクリート材３側部分を収容する有底筒状で、その開口外周に前記フランジ１４と対応する係合部１５ａが設けられている。
【００２２】
係合部１５ａは、キャップ１３のフランジ１４と突き合わされ、バンド２０で挟持されている。そして、バンド２０の耳片２２同志はボルト４０・ナット４１で締付られ、フランジ１４と係合部１５ａは圧着した状態となっている。
【００２３】
なお、筒部材１２は緊張材２の固定にあたりコンクリート材３の表面上に設置されるが、図１において、筒部材１２の設置位置、すなわちシース管１の開口部にはアンカープレート４が設けられている。また、グラウト材は、アンカープレート４に設けられたシース管１に連通する注入口５から注入できるようになっている。
【００２４】
この緊張材固定構造によれば、キャップ１３とソケット１５との係合力はキャップ１３の径方向ではなく長手方向に働くことになる。そのため、内圧が高くなってキャップ１３が膨らんでもソケット１５との係合が外れて吹き飛ばされるおそれがない。また、フランジ１４と係合部１５ａは、バンド２０の耳片２３同志をボルト４０・ナット４１で締付することにより圧着されるようになっているので、キャップ１３の取り付けを極めて容易に行うことができる。
【００２５】
異形欠筒体２１の側壁２４は、周方向に伸びるスリット２５により分割されている。そして、分割された各部２４ａ及び２４ｂが、壁面から径方向に突出した脚２６ａと壁面から距離をおいて配置された桁２６ｂで構成される橋梁部２６を介して連結されている。更に、側壁２４は、橋梁部２６を避けた位置におけるスリット２５の対向する縁から互いに接近する方向に壁面に対し傾斜して突出する押え部２７を備えている。
こうすると、フランジ１４と係合部１５ａをスリット２５に挿通し押え部２７で挟持することができる。また、橋梁部２６により、フランジ１４と係合部１５ａをスリット２５に挿通する際の邪魔にならない態様で、側壁の各部２４ａ及び２４ｂを連結することができる。更に、フランジ１４と係合部１５ａは、バンド締め付け初期状態において押え部２７の側壁２４寄りの位置に当接するが、バンドの締め付けに従い側壁２４から離れた間隔の狭くなっている位置に当接することになるため、フランジ１４と係合部１５ａの圧着を、バンド２０の締め付けにより容易に強めることができる。なお、異形欠筒体２１は円筒となっているが、本発明の実施にあたって、フランジ１４及び係合部１５ａを挟持できればその形状に制限はなく、底面が六角形、八角形等の多角形となっている筒体であってもよい。
【００２６】
橋梁部２６は、脚２６ａの側部から立ち上がる三角形の第一支持板２６ｃと、側壁２４から立ち上がり第一支持板２６ｃに連続する三角形の第二支持板２６ｄとで支持されている。
こうすると、脚２６ａが変形しバンド２０の締め付け力が低下することを防止できる。また、橋梁部２６を側壁２４に連続させて設けることができるため、例えば、図７に示すように、一枚の板材を折り曲げて製造することが可能となる。なお、図７において破線は山折りを二点鎖線は谷折りを示す。
【図面の簡単な説明】
【００２７】
【図１】本発明にかかる緊張材固定構造の具体例を示し、（ａ）は全体正断面図、（ｂ）はフランジと係合部を拡大して示す正断面図である。
【図２】同固定構造の全体平面図である。
【図３】本発明にかかる緊張材固定具用キャップのバンドの具体例を示す斜視図である。
【図４】同バンドの平面図である。
【図５】同バンドの側面図である。
【図６】同バンドの正面図である。
【図７】橋脚部の展開図である。
【符号の説明】
【００２８】
１    シース管
２    緊張材
３    コンクリート材
１０  固定具
１３  キャップ
１４  フランジ
１５  ソケット
１５ａ  係合部
１６  開口
２０  バンド
２１ａ、２１ｂ  不連続部端
２１  異形欠筒体
２２  ボルト孔
２３  耳片
２４、２４ａ、２４ｂ  側壁
２５  スリット
２６  橋梁部
２６ａ  脚
２６ｂ  桁
２６ｃ  第一支持板
２６ｄ  第二支持板
２７  押え部
４０  ボルト
４１  ナット
【図１】
2006152592.tif 000003
【図２】
2006152592.tif 000004
【図３】
2006152592.tif 000005
【図４】
2006152592.tif 000006
【図５】
2006152592.tif 000007
【図６】
2006152592.tif 000008
【図７】
2006152592.tif 000009